(57)【要約】【課題】  懐中電灯の前後にライトを設置し、懐中電灯の中央部を自在に握って自在に振り回すことができるという構造の懐中電灯の開発が課題である。【解決手段】懐中電灯１の内部に電池を設置し、先端にライトを設置し、ライトが点灯するように配線を繋いで、スイッチを付加した構造の懐中電灯において、軽く手で握っても落ちない程度に親指と他の指が交差して握れる程度の太さの筒状の中央握り部２を設け、該中央握り部に接続した先端及び後端にそれぞれ握り外れ防止の中央握り部より太い径の大径部３を設け、先端と後端の大径部の端の内側にそれぞれライト４を設置し、本体に電池を内蔵し、ライトが点灯するように配線を繋いでスイッチ５を付加した構造の懐中電灯を課題を解決する手段として提供する。【選択図】図１
0003138015.tif 000002
【実用新案登録請求の範囲】
【請求項１】
軽く手で握っても落ちない程度に親指と他の指が交差して握れる程度の太さの筒状の中央握り部を設け、該中央握り部に接続した先端及び後端にそれぞれ握り外れ防止の中央握り部より太い径の大径部を設け、大径部の端の内側に夫れ夫れライトを設置し、本体に電池を内蔵し、配線を繋いでスイッチを付加した構造の懐中電灯。
【請求項２】
中央握り部の外周表面に数個の凸部又は線状凸部を設置する構造の請求項１記載の懐中電灯。
【請求項３】
中央握り部の外周表面を握ればふんわりと圧縮性を示し、握りを離せば元に復元する部材とする構造の請求項１記載の懐中電灯。
【請求項４】
スイッチを筒状の中央握り部の外周面より内空に陥没して設置した構造の請求項１記載の懐中電灯。
【請求項５】
ライトをＬＥＤライトとした構造の請求項１記載の懐中電灯。
【請求項６】
ライトの前面又は周辺を光っていることが認知できる色彩付き半透明体とした構造の請求項１記載の懐中電灯。
【請求項７】
懐中電灯の中央部を手で握った腕を振ることを有効に利用し、懐中電灯内で振動子が振動することや、振り子が振り子作用をする構造で発電して懐中電灯の電源を得ることや、電気が不要のときに蓄電できる構造の請求項１記載の懐中電灯。
【請求項８】
筒状体の内部にメロティー装置又はラジオ装置を内蔵した構造の請求項１記載の懐中電灯。
【請求項９】
筒状体の内部に警報装置を内蔵し、特別スイッチのオンオフにより警報を発する構造の請求項１記載の懐中電灯。
【考案の詳細な説明】
【技術分野】
【０００１】  本考案は、手で握った腕を振りながら歩行する運動用の懐中電灯に関する。
【背景技術】
【０００２】  従来の懐中電灯で、灯具の前後に電球をつけ、中央部にバンド通しをつけた構造の懐中電灯がある。（例えば、特許文献１参照）
また、前後左右の四方を照射できる懐中電灯がある。（例えば、特許文献２参照）
【特許文献１】  特開２００２−３５２６０１号公報
【特許文献２】  登録実用新案第３０６９８１４号公報
【考案の開示】
【考案が解決しようとする課題】
【０００３】  特許文献１の懐中電灯は、前後を照らすことはできるが、図面から見て懐中電灯の中央部分全体を握ることはできないし、該懐中電灯を長時間空間を自在に振り回す事が困難である。
特許文献２の懐中電灯は、前後左右を照らすことはできるが、左右照射灯が持ち手の邪魔をして、該懐中電灯の中央部分を自在に握り、該懐中電灯を長時間自在に振り回す事が困難である。
考案が解決しようとする課題は、前後を照射する懐中電灯の中央部を自在に握って自在に振り回すという課題の解決にある。
【課題を解決するための手段】
【０００４】  軽く手で握っても落ちない程度に親指と他の指が交差して握れる程度の太さの筒状の中央握り部を設け、該中央握り部に接続した先端及び後端にそれぞれ握り外れ防止の中央握り部より太い径の大径部を設け、大径部の端の内側に夫れ夫れライトを設置し、本体に電池を内蔵し、配線を繋いでスイッチを付加した構造の懐中電灯を課題を解決するための手段として提供する。
【考案の効果】
【０００５】  本考案の効果について説明する。
イ．腕振り運動効果。
ウォークキングは、健康保持のための運動の一つであるが、足だけを動かして歩くよりは、手と腕を振って歩く方が運動効果は上がると言われている。さらに、手と腕を大きく振ることによって歩行の運動効果も飛躍的に上がる。
しかし、漫然と歩くとどうしても継続して手と腕を大きく振ることがおろそかになる。何かを手で握って握った腕を振るようにする小道具があれば、手と腕を継続して振ることの進めとしての効果があがる。本考案の懐中電灯を小道具として手に握って腕を振って歩くのも腕振り効果の一つの方法である。【０００６】ロ．夜道の安全認知効果。
夜間に歩道の無い狭い道路を歩行者が通行するとき、車が前から又は後ろから高速で走る場合に非常に危険であり、歩道を自転車が高速で走る場合も非常に危険である。前後にライトの付いた懐中電灯を振って歩けば、前から後から来る自動車や自転車に対しての安全認知の確保に効果がある。腕を大きく振って歩けば、自動車及び自転車からの認知度がさらに上がる効果がある。【０００７】ハ．手のひら指圧効果。
懐中電灯の中央握り部の外周表面に数個の凸部又は線状凸部を設置することにより、本考案の懐中電灯を手で握った腕を振ることによって、手のひらを繰り返し指圧することを期待する効果がある。【０００８】ニ．ふんわり感効果。
中央握り部の外周表面を握ればふんわりと圧縮性を示す部材とする構造とすることで、握り部をふんわり触りながら握り、握り部を握り返すことで、心に心理的ふんわり感を与える効果がある。【０００９】ホ．スイッチの陥没効果。
懐中電灯のスイッチは、握り懐中電灯を手で握るのに支障しないように、筒状の握り部の外周面より内空に陥没して設置することにより、継続して懐中電灯の中央部を握ることが自在になる効果がある。【００１０】ヘ．腕振り発電効果。
本考案の懐中電灯は、該懐中電灯の中央部を手で握った腕を振ることが目的であるが、懐中電灯の中央部を手で握った腕を振ることによって発電し電源を得ることや、電気が不要のときに蓄電できる効果がある。【００１１】ト．光の動的効果。
手に握った懐中電灯を規則的に前後に振るだけではなく、空中を左右に動かしたり、円を描いたり、不規則に動かしたりすることによって、色々な運動や、踊り、素敵な芸術的動きも表現できる効果がある。
ライトをＬＥＤライトとしたり、ライトの前面及びライトの周辺を各種の色彩としたことで、腕を振ることによって空間にさらにおもしろい色彩変化を起こす効果がある。
ライト外周にピカピカと光沢反射し空気抵抗でひらひらと揺れる反射部材を設置することにより、腕を動かすことによって、反射部材は、ひらひらと揺れ、ピカピカと光沢反射をする効果がある。【００１２】チ．メロディー効果
懐中電灯の筒状体の内部にメロディー装置やラジオを内蔵することにより、メロディー装置から発するリズム音やメロディー、又はラジオから発する音楽に合わせて、腕を振り体を動かすことができる効果がある。場合によれば、グランドを大勢の人が群れで規則的にあるいは不規則的に歩きあるいは走る場合や、劇場の舞台の上で、劇場の観客席で同調して和して動くことに利用できる効果がある。【００１３】リ．警報効果。
筒状体の内部に警報装置を内蔵し、特別の警報スイッチのオンオフにより警報を発する構造の懐中電灯を利用するにより、夜道の危険な状態に遭遇した場合に警報スイッチを押すことにより警報を発し、周辺に危機の迫ったことを知らせる効果がある。
【考案を実施するための最良の形態】
【００１４】  以下、本考案を実施するための最良の形態について説明する。
軽く手で握っても落ちない程度に親指と他の指が交差して握れる程度の太さの筒状の中央握り部を設け、該中央握り部に接続した先端及び後端にそれぞれ握り外れ防止の中央握り部より太い径の大径部を設け、大径部の端の内側に夫れ夫れライトを設置し、本体に電池を内蔵し、配線を繋いでスイッチを付加した構造の懐中電灯を本考案を実施するための最良の形態とする。
【実施例１】
【００１５】  図１は、本考案の懐中電灯１である。軽く手で握っても落ちない程度に親指と他の指が交差して握れる程度の太さの筒状の中央握り部２を設け、該中央握り部に接続した先端及び後端にそれぞれ握り外れ防止の中央握り部より太い径の大径部３を設け、大径部の端の内側に夫れ夫れライト４を設置し、本体に電池を内蔵し、配線を繋いで、適所に点滅、点灯、消灯のできるスイッチ５を付加した構造の実施例である。【００１６】  歩行者が歩行する時、懐中電灯のライトが前後になるように握り部を手で握り、握った手の腕を前後に、なるべく大きく振って歩く。
手に握った懐中電灯を規則的に前後に振るだけではなく、空中を左右に動かしたり、円を描いたり、不規則に動かすことによって、色々な運動や、踊り、素敵な芸術的動きを表現する。
【実施例２】
【００１７】  懐中電灯の中央握り部の外周表面に数個の凸部又は線状凸部を設置する構造の実施例がある。
握り部を継続して手で握り又握り返すことによって、握り部の表面の数個の凸部又は線状凸部が掌のつぼを指圧する。【００１８】  懐中電灯の中央握り部の外周表面を握ればふんわりと圧縮性を示し、握りを離せば元に復元する部材とする構造の実施例がある。
握り部をふんわり触りながら握り、握り部を握り返すことで、心に心理的ふんわり感を与える可能性がある。
【実施例３】
【００１９】  懐中電灯のスイッチは、懐中電灯を連続して手で握るのに支障しないように、筒状の握り部の外周面の延長線より内空に陥没して設置する構造の実施例がある。
スイッチが陥没しているため、握り易く、多少の滑りを伴う握りを行うことができる。
【実施例４】
【００２０】  懐中電灯のライトをＬＥＤライトとした構造の実施例がある。又、ＬＥＤライトには色々な色彩を持つものがあるが、この色彩を有効に多彩に利用する実施例がある。【００２１】  懐中電灯のライト前面又は周辺を光っていることが認知できる色彩付き半透明体とした構造の実施例がある。
ライト周辺が各種の色彩を持つと、腕を振ることによってさらに色彩変化を起こす。【００２２】  懐中電灯のＬＥＤライト外周にピカピカと光沢反射し空気抵抗でひらひらと揺れる反射部材を設置する構造の実施例がある。
腕を動かすことによって、反射部材は、ひらひらと揺れ、ピカピカと光沢反射する。
【実施例５】
【００２３】  懐中電灯の中央部を手で握った腕を振ることを有効に利用し、懐中電灯内で振動子が振動することや、振り子が振り子作用をする構造で発電して懐中電灯の電源を得ることや、電気の消費が不要のときは懐中電灯内の蓄電装置に蓄電し、蓄電した電気を再利用する構造の実施例がある。【００２４】  懐中電灯にソーラー機能を付設して昼間に発電し、発電した電気を懐中電灯内の蓄電装置に蓄電し、蓄電した電気を夜間に再利用する構造の実施例がある。
【実施例６】
【００２５】  懐中電灯の筒状体の内部にメロディー装置やラジオ装置を内蔵し、スイッチのオンオフで必要な音を発したり消したりする構造の実施例がある。
メロディー装置から発するリズム音やメロディー、又はラジオから発する音楽に合わせて、腕を振り体を動かすことができる。場合によれば、グランドを大勢の人が群れで規則的にあるいは不規則的に歩きあるいは走る場合や、劇場の舞台の上で、劇場の観客席で同調して和して動くことに利用することができる。【００２６】  筒状体の内部に警報装置を内蔵し、特別の警報スイッチのオンオフにより警報を発する構造の実施例がある。
夜道の危険な状態に遭遇した場合に警報スイッチを押すことにより警報を発し、周辺に危機の迫ったことを知らせることができる。
【産業上の利用可能性】
【００２７】  現在及び将来に渡って、健康ブームと安全指向の面から十分に産業上の利用の可能性がある。
【図面の簡単な説明】
【００２８】
【図１】本考案の実施例を示した正面図である。（実施例１）
【符号の説明】
【００２９】  １懐中電灯
２中央握り部
３大径部
４ライト
５スイッチ
【図１】
0003138015.tif 000003
【手続補正書】
【提出日】平成19年8月1日(2007.8.1)
【手続補正１】
【補正対象書類名】実用新案登録請求の範囲
【補正対象項目名】全文
【補正方法】変更
【補正の内容】
【実用新案登録請求の範囲】
【請求項１】
懐中電灯（１）の内部に電池を設置し、先端にライトを設置し、ライトが点灯するように配線を繋いで、スイッチを付加した構造の懐中電灯において、軽く手で握っても落ちない程度に親指と他の指が交差して握れる程度の太さの筒状の中央握り部（２）を設け、該中央握り部に接続した先端及び後端にそれぞれ握り外れ防止の中央握り部より太い径の大径部（３）を設け、先端と後端の大径部の端の内側にそれぞれライト（４）を設置し、本体に電池を内蔵し、ライトが点灯するように配線を繋いでスイッチ（５）を付加した構造の懐中電灯。
【請求項２】
懐中電灯の中央握り部（２）の外周表面に数個の凸部（６）を設置する構造の請求項１記載の懐中電灯。
【請求項３】
懐中電灯の中央握り部（２）の外周表面を握ればふんわりと圧縮性を示し、握りを離せば元に復元する圧縮復元部材（７）とする構造の請求項１記載の懐中電灯。
【請求項４】
懐中電灯のスイッチ（５）を筒状の中央握り部（２）の外周面より内空に陥没して設置した構造の請求項１記載の懐中電灯。
【請求項５】
懐中電灯のライト（４）をＬＥＤライト（８）とした構造の請求項１記載の懐中電灯。
【請求項６】
懐中電灯のライト（４）の前面又は周辺を色彩付きの半透明体（９）とした構造の請求項１記載の懐中電灯。
【請求項７】
懐中電灯の中央握り部（２）の筒状体の内部に発電装置（１０）と、電気が不要のときに蓄電できる蓄電装置（１１）を設置する構造の請求項１記載の懐中電灯。
【請求項８】
懐中電灯の中央握り部（２）の筒状体の内部にラジオ装置（１２）を内蔵した構造の請求項１記載の懐中電灯。
【請求項９】
懐中電灯の中央握り部（２）の筒状体の内部に警報装置（１３）を内蔵し、警報スイッチ（１４）のオンオフにより警報を発する構造の請求項１記載の懐中電灯。
【手続補正２】
【補正対象書類名】明細書
【補正対象項目名】全文
【補正方法】変更
【補正の内容】
【考案の詳細な説明】
【技術分野】
【０００１】  本考案は、手で握った腕を振りながら歩行する運動用の懐中電灯に関する。
【背景技術】
【０００２】  従来の懐中電灯で、灯具の前後に電球をつけ、中央部にバンド通しをつけた構造の懐中電灯がある。（例えば、特許文献１参照）
また、前後左右の四方を照射できる懐中電灯がある。（例えば、特許文献２参照）
【特許文献１】  特開２００２−３５２６０１号公報
【特許文献２】  登録実用新案第３０６９８１４号公報
【考案の開示】
【考案が解決しようとする課題】
【０００３】  特許文献１の懐中電灯は、前後を照らすことはできるが、図面から見て懐中電灯の中央部分全体を握ることはできないし、該懐中電灯を長時間空間を自在に振り回す事が困難である。
特許文献２の懐中電灯は、前後左右を照らすことはできるが、左右照射灯が持ち手の邪魔をして、該懐中電灯の中央部分を自在に握り、該懐中電灯を長時間自在に振り回す事が困難である。
考案が解決しようとする課題は、前後を照射する懐中電灯の中央部を自在に握って自在に振り回すという課題の解決にある。
【課題を解決するための手段】
【０００４】懐中電灯の内部に電池を設置し、先端にライトを設置し、ライトが点灯するように配線を繋いで、スイッチを付加した構造の懐中電灯において、軽く手で握っても落ちない程度に親指と他の指が交差して握れる程度の太さの筒状の中央握り部を設け、該中央握り部に接続した先端及び後端にそれぞれ握り外れ防止の中央握り部より太い径の大径部を設け、先端と後端の大径部の端の内側にそれぞれライトを設置し、本体に電池を内蔵し、ライトが点灯するように配線を繋いでスイッチを付加した構造の懐中電灯を課題を解決するための手段として提供する。
【考案の効果】
【０００５】  本考案の効果について説明する。
イ．腕振り運動効果。
ウォークキングは、健康保持のための運動の一つであるが、足だけを動かして歩くよりは、手と腕を振って歩く方が運動効果は上がると言われている。さらに、手と腕を大きく振ることによって歩行の運動効果も飛躍的に上がる。
しかし、漫然と歩くとどうしても継続して手と腕を大きく振ることがおろそかになる。何かを手で握って握った腕を振るようにする小道具があれば、手と腕を継続して振ることの進めとしての効果があがる。本考案の懐中電灯を小道具として手に握って腕を振って歩くのも腕振り効果の一つの方法である。【０００６】ロ．夜道の安全認知効果。
夜間に歩道の無い狭い道路を歩行者が通行するとき、車が前から又は後ろから高速で走る場合に非常に危険であり、歩道を自転車が高速で走る場合も非常に危険である。前後にライトの付いた懐中電灯を振って歩けば、前から後から来る自動車や自転車に対しての安全認知の確保に効果がある。腕を大きく振って歩けば、自動車及び自転車からの認知度がさらに上がる効果がある。【０００７】ハ．手のひら指圧効果。
懐中電灯の中央握り部の外周表面に数個の凸部又は線状凸部を設置することにより、本考案の懐中電灯を手で握った腕を振ることによって、手のひらを繰り返し指圧することを期待する効果がある。【０００８】ニ．ふんわり感効果。
中央握り部の外周表面を握ればふんわりと圧縮性を示す部材とする構造とすることで、握り部をふんわり触りながら握り、握り部を握り返すことで、心に心理的ふんわり感を与える効果がある。【０００９】ホ．スイッチの陥没効果。
懐中電灯のスイッチは、握り懐中電灯を手で握るのに支障しないように、筒状の握り部の外周面より内空に陥没して設置することにより、継続して懐中電灯の中央部を握ることが自在になる効果がある。【００１０】ヘ．腕振り発電効果。
本考案の懐中電灯は、該懐中電灯の中央部を手で握った腕を振ることが目的であるが、懐中電灯の中央部を手で握った腕を振ることによって発電し電源を得ることや、電気が不要のときに蓄電できる効果がある。【００１１】ト．光の動的効果。
手に握った懐中電灯を規則的に前後に振るだけではなく、空中を左右に動かしたり、円を描いたり、不規則に動かしたりすることによって、色々な運動や、踊り、素敵な芸術的動きも表現できる効果がある。
ライトをＬＥＤライトとしたり、ライトの前面及びライトの周辺を各種の色彩としたことで、腕を振ることによって空間にさらにおもしろい色彩変化を起こす効果がある。
ライト外周にピカピカと光沢反射し空気抵抗でひらひらと揺れる反射部材を設置することにより、腕を動かすことによって、反射部材は、ひらひらと揺れ、ピカピカと光沢反射をする効果がある。【００１２】チ．メロディー効果
懐中電灯の筒状体の内部にメロディー装置やラジオを内蔵することにより、メロディー装置から発するリズム音やメロディー、又はラジオから発する音楽に合わせて、腕を振り体を動かすことができる効果がある。場合によれば、グランドを大勢の人が群れで規則的にあるいは不規則的に歩きあるいは走る場合や、劇場の舞台の上で、劇場の観客席で同調して和して動くことに利用できる効果がある。【００１３】リ．警報効果。
筒状体の内部に警報装置を内蔵し、特別の警報スイッチのオンオフにより警報を発する構造の懐中電灯を利用するにより、夜道の危険な状態に遭遇した場合に警報スイッチを押すことにより警報を発し、周辺に危機の迫ったことを知らせる効果がある。
【考案を実施するための最良の形態】
【００１４】  以下、本考案を実施するための最良の形態について説明する。
懐中電灯の内部に電池を設置し、先端にライトを設置し、ライトが点灯するように配線を繋いで、スイッチを付加した構造の懐中電灯において、軽く手で握っても落ちない程度に親指と他の指が交差して握れる程度の太さの筒状の中央握り部を設け、該中央握り部に接続した先端及び後端にそれぞれ握り外れ防止の中央握り部より太い径の大径部を設け、先端と後端の大径部の端の内側にそれぞれライトを設置し、本体に電池を内蔵し、ライトが点灯するように配線を繋いでスイッチを付加した構造の懐中電灯を本考案を実施するための最良の形態とする。
【実施例１】
【００１５】  図１は、本考案の懐中電灯１である。懐中電灯の内部に電池を設置し、先端にライトを設置し、ライトが点灯するように配線を繋いで、スイッチを付加した構造の懐中電灯において、軽く手で握っても落ちない程度に親指と他の指が交差して握れる程度の太さの筒状の中央握り部２を設け、該中央握り部に接続した先端及び後端にそれぞれ握り外れ防止の中央握り部より太い径の大径部３を設け、先端と後端の大径部の端の内側にそれぞれライト４を設置し、本体に電池を内蔵し、ライトが点灯するように配線を繋いでスイッチ５を付加した構造の懐中電灯実施例である。【００１６】  歩行者が歩行する時、懐中電灯のライトが前後になるように中央握り部を手で握り、腕を前後に、なるべく大きく振って歩く。
手に握った懐中電灯を規則的に前後に振るだけではなく、空中を左右に動かしたり、円を描いたり、不規則に動かすことによって、色々な運動や、踊り、素敵な芸術的動きを表現する。
【実施例２】
【００１７】図２のように、本考案の懐中電灯の中央握り部２の外周表面に数個の凸部６又は線状凸部を設置する構造の実施例がある。
握り部を継続して手で握り又握り返すことによって、握り部の表面の数個の凸部又は線状凸部が掌のつぼを指圧する。【００１８】図３のように、本考案の懐中電灯の中央握り部２の外周表面を手で握ればふんわりと圧縮性を示し、握りを離せば元に復元する圧縮復元部材７とする構造の実施例がある。
握り部をふんわり触りながら握り、握り部を握り返すことで、心に心理的ふんわり感を与える可能性がある。
【実施例３】
【００１９】図４のように、本考案の懐中電灯のスイッチ５は、懐中電灯を連続して手で握るのに支障しないように、筒状の中央握り部２の外周面の延長線より内空に陥没して設置する構造の実施例がある。
スイッチが陥没しているため、握り易く、多少の滑りを伴う握りを行うことができる。
【実施例４】
【００２０】図５のように、本考案の懐中電灯のライト４をＬＥＤライト８とした構造の実施例がある。又、ＬＥＤライトには色々な色彩を持つものがあるが、この色彩を有効に多彩に利用する実施例がある。【００２１】図６のように、本考案の懐中電灯のライト４の前面又は周辺を光っていることが認知できる色彩付き半透明体９とした構造の実施例がある。
ライト周辺が各種の色彩を持つと、腕を振ることによってさらに色彩変化を起こす。【００２２】本考案の懐中電灯のＬＥＤライト外周にピカピカと光沢反射し空気抵抗でひらひらと揺れる反射部材を設置する構造の実施例がある。
腕を動かすことによって、反射部材は、ひらひらと揺れ、ピカピカと光沢反射する。
【実施例５】
【００２３】図７のように、本考案の懐中電灯の中央握り部２を手で握った腕を振ることを有効に利用し、懐中電灯内で振動子が振動することや、振り子が振り子作用をする構造で発電して懐中電灯の電源を得る発電装置１０を配線で繋いで設置し、電気の消費が不要のときは懐中電灯内に蓄電できる蓄電装置１１を設置して蓄電装置に蓄電し、蓄電した電気を本考案の懐中電灯に再利用する構造の実施例がある。【００２４】本考案の懐中電灯にソーラー機能を付設し、配線で繋いで昼間に発電し、発電した電気を懐中電灯内の蓄電装置に蓄電し、蓄電した電気を夜間に本考案の懐中電灯に再利用する構造の実施例がある。
【実施例６】
【００２５】図８のように、本考案の懐中電灯の中央握り部２の筒状体の内部にメロディー装置やラジオ装置１２を内蔵し、スイッチを配線で繋いで、スイッチのオンオフで必要な音を発したり消したりする構造の実施例がある。
メロディー装置から発するリズム音やメロディー、又はラジオから発する音楽に合わせて、腕を振り体を動かすことができる。場合によれば、グランドを大勢の人が群れで規則的にあるいは不規則的に歩きあるいは走る場合や、劇場の舞台の上で、劇場の観客席で同調して和して動くことに利用することができる。【００２６】図９のように、本考案の懐中電灯の中央握り部２の筒状体の内部に警報装置１３を内蔵し、特別の警報スイッチ１４を配線で繋いで設置し、警報スイッチのオンオフにより警報を発する構造の実施例がある。
夜道の危険な状態に遭遇した場合に警報スイッチを押すことにより警報を発し、周辺に危機の迫ったことを知らせることができる。
【産業上の利用可能性】
【００２７】  現在及び将来に渡って、健康ブームと安全指向の面から十分に産業上の利用の可能性がある。
【図面の簡単な説明】
【００２８】
【図１】本考案の基本となる実施例を示す正面図である。（実施例１）
【図２】本考案の凸部を設置した実施例を示す正面図である。（実施例２）
【図３】本考案の圧縮復元部材を採用した実施例を示す正面図である。（実施例２）
【図４】本考案のスイッチを陥没させた実施例を示す平面図である。（実施例３）
【図５】本考案のライトにＬＥＤを採用した実施例を示す正面図である。（実施例４）
【図６】本考案の半透明体を採用した実施例を示す正面図である。（実施例４）
【図７】本考案の発電装置を設置した実施例を示す平面図である。（実施例５）
【図８】本考案のラジオ装置を設置した実施例を示す平面図である。（実施例６）
【図９】本考案の警報装置を設置した実施例を示す平面図である。（実施例６）
【符号の説明】
【００２９】１懐中電灯      ２中央握り部        ３大径部            ４ライト
５スイッチ６凸部７圧縮復元部材８ＬＥＤライト
９半透明体１０発電装置１１蓄電装置１２ラジオ装置
１３警報装置１４警報スイッチ
【手続補正３】
【補正対象書類名】図面
【補正対象項目名】図２
【補正方法】追加
【補正の内容】
【図２】
0003138015.tif 000004
【手続補正４】
【補正対象書類名】図面
【補正対象項目名】図３
【補正方法】追加
【補正の内容】
【図３】
0003138015.tif 000005
【手続補正５】
【補正対象書類名】図面
【補正対象項目名】図４
【補正方法】追加
【補正の内容】
【図４】
0003138015.tif 000006
【手続補正６】
【補正対象書類名】図面
【補正対象項目名】図５
【補正方法】追加
【補正の内容】
【図５】
0003138015.tif 000007
【手続補正７】
【補正対象書類名】図面
【補正対象項目名】図６
【補正方法】追加
【補正の内容】
【図６】
0003138015.tif 000008
【手続補正８】
【補正対象書類名】図面
【補正対象項目名】図７
【補正方法】追加
【補正の内容】
【図７】
0003138015.tif 000009
【手続補正９】
【補正対象書類名】図面
【補正対象項目名】図８
【補正方法】追加
【補正の内容】
【図８】
0003138015.tif 000010
【手続補正１０】
【補正対象書類名】図面
【補正対象項目名】図９
【補正方法】追加
【補正の内容】
【図９】
0003138015.tif 000011